(57)【要約】【課題】従来の顕微鏡の球面レンズを備える対物レンズに入射した偏光は、Ｐ偏光とＳ偏光での透過率特性の違いにより振動面の回転を生じる。しかも、この現象は光線が通るレンズの位置に依存する。したがって、対物レンズの瞳面が完全には暗くならず、いわゆるアイソジャイヤを生じる。このアイソジャイヤによって、観察領域の背景が明るくなり、観察を行いにくいという問題があった。本発明では、アイソジャイヤを軽減する為の高い偏光特性を有する対物レンズを提供する事およびこの対物レンズを顕微鏡に備える事を目的とする。【解決手段】本発明の上記課題は、曲率方向が直交するように配置された少なくとも２枚のシリンドリカルレンズを含む対物レンズによって解決される。【選択図】図３Ａ
2008111916.tif 000002
【特許請求の範囲】
【請求項１】
曲率方向を一方向しか持たないシリンドリカルレンズを少なくとも２枚含み、それら２枚の曲率方向が直交するように配置されたことを特徴とする対物レンズ。
【請求項２】
標本面から最も近い２枚のレンズが、前記シリンドリカルレンズであることを特徴とした請求項１に記載の対物レンズ。
【請求項３】
前記シリンドリカルレンズが凹面シリンドリカルレンズを含むことを特徴とする請求項１の対物レンズ。
【請求項４】
光源からの照明光を直線偏光へ変換する偏光子と、
直線偏光に変換された前記照明光を試料に透過させるコンデンサレンズと、
前記試料から透過された透過観察光を拡大する請求項１から請求項３の何れかに記載の対物レンズと、
前記対物レンズから射出された前記透過観察光のある偏光成分だけを透過させる検光子と
を備えることを特徴とする顕微鏡。
【請求項５】
前記コンデンサレンズは、曲率方向が直交するように配置された少なくとも２つのシリンドリカルレンズを含むことを特徴とする請求項４に記載の顕微鏡。
【請求項６】
光源からの照明光を直線偏光へ変換する偏光子と、
直線偏光に変換された前記照明光を試料に照射すると共に、その反射観察光を収集する請求項１から請求項３の何れかに記載の対物レンズと、
前記対物レンズから射出された前記反射観察光のある偏光成分だけを透過させる検光子を備えることを特徴とする顕微鏡。
【請求項７】
光源からの励起光を直線偏光励起光へ変換する偏光子と、
直線偏光励起光に変換された前記励起光を試料に照射すると共に、その試料から放射される蛍光を収集する請求項１から請求項３の何れかに記載の対物レンズと、
前記対物レンズから射出された前記蛍光のある偏光成分だけを透過させる検光子を備えることを特徴とする顕微鏡。
【請求項８】
前記対物レンズは光軸に関して回転可能に設置されていることを特徴とする請求項４から請求項７の何れかに記載の顕微鏡。
【請求項９】
前記対物レンズと前記偏光子と前記検光子の少なくとも二つが回転可能に設置されていることを特徴とする請求項４または請求項６または請求項７の何れかに記載の顕微鏡。
【請求項１０】
前記対物レンズと前記コンデンサレンズと前記偏光子と前記検光子の少なくとも三つが回転可能に設置されていることを特徴とする請求項５に記載の顕微鏡。
【発明の詳細な説明】
【技術分野】
【０００１】
本発明は、レンズの技術分野に係り、優れた偏光特性を有する対物レンズと前記対物レンズを使用した顕微鏡に関する。
【背景技術】
【０００２】
顕微鏡観察において試料の偏光特性を用いた観察は非常に一般的である。例えば、岩石の結晶構造の観察や痛風の検査にも活用される。さらに蛍光観察と偏光観察を組み合わせた蛍光偏光観察とよばれる観察方法もあり、この観察においては特に微弱な観察光を検出しなければいけないという困難が伴うが、試料内の分子運動などを捉えることができる高度な観察手法である。
【０００３】
光学系における偏光は電場の振動面が光学面などの入射面に対して一致しているＰ偏光と電場の振動面が入射面に対して垂直なＳ偏光に分解され議論される。その理由は、Ｐ偏光とＳ偏光では透過率や反射率などの特性が異なり、この違いが偏光観察に大きな影響を与えるからである。例えば、直線偏光がレンズなどの光学素子に入射したときに、Ｐ偏光とＳ偏光の透過率特性の違いにより振動面が回転してしまうという現象が知られる。
【０００４】
ここで上記のようなレンズによって起こる偏光の変化を、以下で図１Ａ、Ｂ、Ｃを用いて説明する。なお、ここでは、図１におけるレンズとして球面レンズを考える事とする。
図１Ａ、Ｂ、Ｃでは、球面レンズを紙面とみなして紙面の裏から表に直線偏光１が進んでくるとする。この時、ＯＥを直線偏光の電場の振動面（偏光面）、ＯＨを磁場の振動面方向とする。このとき、同図の４で示される円は球面レンズの中心Ｏとの同心円であり、球面レンズに入射される光線の入射面は円４の半径方向と光軸を含む面となる。つまり、この円４の接線方向に振動面がある直線偏光がＳ偏光であり、法線方向に振動面がある直線偏光がＰ偏光である。
【０００５】
図１Ａは、直線偏光が球面レンズに入射する直前の偏光の様子を示している。この時の点Ｍの偏光は、ＯＥ方向に振動が揃っている直線偏光５である。この時の点Ｍにおける直線偏光５を拡大したものを拡大図Ｚとする。拡大図Ｚに示されるように、点Ｍにおける直線偏光５は、Ｓ偏光成分６とＰ偏光成分７の和とみなすことが出来る。
【０００６】
図１Ｂは、直線偏光が球面レンズを通過した時の偏光の様子を示している。図１Ｂにおいて、球面レンズを通過した後では、ＯＥ方向の直線偏光であった点Ｍでの直線偏光が、Ｐ偏光とＳ偏光の透過率特性の違いにより、振動面が異なる直線偏光に変化する。この時の点Ｍにおける直線偏光５を拡大したものを拡大図Ｚとする。拡大図Ｚに示されるように、球面レンズを透過する前の直線偏光５’はＳ偏光成分６とＰ偏光成分７の和とみなされ、それぞれの成分ごとの透過率が乗ずる（同図では簡単のため、Ｐ偏光成分の透過率がほぼ１００％の場合を図示している）。その結果、球面レンズを透過後の直線偏光５は、同心円４の法線方向に振動面をずらしてしまうのである。
【０００７】
次に、図１Ｃは上記の振動面の回転が起きた後に、直交ニコルに配置した検光子（アナライザー）を通過した時の偏光の様子を示している。検光子をＯＨ方向の偏光成分のみを透過させるように配置しているので、本来ならばすべての偏光が遮光されるはずである。しかし、上述のように点Ｍなどの位置で球面レンズを透過した直線偏光５が振動面に回転が起こるために、回転による光の振動面が変化した部分の偏光成分８が検光子３を通過してしまう。
【０００８】
以上のことが、偏光顕微鏡では大きな問題となる。偏光子を通過した光線は、いくつかのレンズ、特に複数のレンズを組み合わせている対物レンズを通過することにより、上記のように直線偏光の振動面が、レンズを通過する度に少しずつ回転してゆく。この際、対物レンズは多くのレンズを有するので、偏光の振動面を回転する事に大きく影響する。上記の原理から解るように、特に対物レンズの瞳面での斜め四方向に対して  大きく影響する。
【０００９】
上記の現象は、瞳面におけるアイソジャイヤという名で知られている。この現象は、図２に示されるように、斜め四方に明るい領域が残ってしまう現象である。この現象により偏光観察の背景光が明るくなり、試料からの観察光を検出しにくくしてしまう。
【００１０】
このアイソジャイヤの問題を解消する方法に、従来においてレクティファイアと言う方法がある。レクティファイアの原理は、顕微鏡の光学系とほぼ同じ偏光特性をもつ簡単な光学素子を偏光子と検光子の間の光路上に挿入し、その手前に２分の１波長板を置いて顕微鏡の光学系を通った光の振動面を反転させてから、それを上記の素子によって打ち消すという方法を行っている。この方法によって上記のアイソジャイヤを軽減できる。
【００１１】
しかし、このレクティファイアでは、対物レンズを光が通り抜けた後に球面レンズを置く必要があり、対物レンズによって生じた光の振動面の回転を補償するために結像性能の劣化が大きくなるという問題があった。また、対物レンズによる偏光の振動面の回転を、対物レンズを通過後のレクティファイアだけで補償することは困難であった。例えば、透過型照明系の場合は、コンデンサレンズ側のレクティファイアの効果を高める事で補償することができ、結像性能に影響しないが、一方で蛍光物質の偏光度を高精度で測定する場合は、対物レンズを通過した後のレクティファイアのみで光の偏光の振動面の回転を補償せねばならず、レクティファイアを多く配置することで結像性能の劣化が生じる。また、レクティファイアを用いる場合は、レクティファイアを備える空間が必要となり、光学系の構成が大きくなってしまうという問題があった。
【特許文献１】特許２８８６２３０公報
【特許文献２】特開平１１−７２７１０公報
【発明の開示】
【発明が解決しようとする課題】
【００１２】
従来の顕微鏡の球面レンズを備える対物レンズに入射した偏光は、Ｐ偏光とＳ偏光での透過率特性の違いにより振動面の回転を生じる。しかも、この現象は光線が通るレンズの位置に依存する。したがって、対物レンズの瞳面が完全には暗くならず、いわゆるアイソジャイヤを生じる。このアイソジャイヤによって、観察領域の背景が明るくなり、観察を行いにくいという問題があった。本発明では、アイソジャイヤを軽減する為の高い偏光特性を有する対物レンズを提供する事およびこの対物レンズを顕微鏡に備える事を目的とする。
【課題を解決するための手段】
【００１３】
本発明の上記課題の対物レンズは、曲率方向が直交するように配置された少なくとも２枚のシリンドリカルレンズを含むことによって解決できる。シリンドリカルレンズを曲率方向が直交するように配置することによって、直線偏光の振動面の回転を抑えることが出来る。このとき、シリンドリカルレンズは標本面から最も近い２枚を含むことが望ましい。標本面に最も近いレンズは屈折力が大きいので、標本面に最も近い２枚をシリンドリカルレンズにすることにより、効果的に本発明を実施できる。また、本発明の実施の形態による対物レンズは凹面シリンドリカルレンズを含むことが望ましい。顕微鏡用の対物レンズにおいて諸収差を補正する場合は、凹面シリンドリカルレンズが有効である。
【００１４】
また、本発明による対物レンズを使った顕微鏡は、光源からの照明光を直線偏光へ変換する偏光子と、直線偏光に変換された照明光を試料に透過させるコンデンサレンズと、試料から透過された透過観察光を拡大する上記の対物レンズと、上記対物レンズから射出された透過観察光のある偏光成分だけを透過させる検光子とを備えることによって実現される。この構成により、優れた偏光特性をもった透過照明型の偏光顕微鏡が提供される。また、このとき上記コンデンサレンズは、曲率方向が直交するように配置された少なくとも２つのシリンドリカルレンズを含む構成が考えられる。この構成により、コンデンサレンズにおける直線偏光の振動面の回転も抑えることが出来る。
【００１５】
また、本発明による対物レンズを使った顕微鏡は、光源からの照明光を直線偏光へ変換する偏光子と、直線偏光に変換された照明光を試料に照射すると共に、その反射観察光を収集する上記対物レンズと、この対物レンズから射出された反射観察光のある偏光成分だけを透過させる検光子を備えることによって実現される。この構成により、優れた偏光特性を持った落射照明型の偏光顕微鏡が提供される。
【００１６】
また、本発明による対物レンズを使った顕微鏡は、光源からの励起光を直線偏光励起光へ変換する偏光子と、直線偏光励起光に変換された励起光を試料に照射すると共に、その試料から放射される蛍光を収集する上記の対物レンズと、この対物レンズから射出された蛍光のある偏光成分だけを透過させる検光子を備えることによって実現される。この構成によって優れた偏光特性をもった蛍光偏光顕微鏡が提供される。
【００１７】
ここで、本発明による対物レンズは光軸に関して回転可能に設置されていることが望ましい。この構成により、対物レンズ内のシリンドリカルレンズの曲率方向を直線偏光に合わせることが出来る。
【００１８】
また、本発明による対物レンズと偏光子と検光子の少なくとも二つが回転可能に設置されていることが必要である。さらに、コンデンサレンズにもシリンドリカルレンズを利用した場合には、本発明による対物レンズとコンデンサレンズと偏光子と検光子の少なくとも三つが回転可能に設置されていることが必要である。これらの構成により、偏光観察をするための適切な準備が行える。
【発明の効果】
【００１９】
本発明の高い偏光特性を有する対物レンズを偏光顕微鏡に備える事で、従来から問題となっていた偏光顕微鏡に備えた対物レンズの複屈折によって生じるアイソジャイヤを軽減することができる。つまり、観察視野の背景を暗く出来るので、微弱な観察光も検出できる。
【発明を実施するための最良の形態】
【００２０】
本発明では、アイソジャイヤの軽減を目的として、高い偏光特性を有する対物レンズとして少なくとも２枚のシリンドリカルレンズを含んだ対物レンズおよび当該対物レンズを備えた顕微鏡を提供する。
【００２１】
以下では、図面を参照しながら本発明の実施例について説明する。
【実施例１】
【００２２】
本発明である複数のシリンドリカルレンズを含み、それぞれのシリンドリカルレンズの曲率方向が直交するように配置した対物レンズの構成例と原理を図３Ａ、図３Ｂを参照しながら述べる。
【００２３】
図３Ａの本発明の一実施形態である対物レンズは、それぞれ互いに隣り合う６枚のシリンドリカルレンズ１１、１２、１３、１４、１５、１６で構成されており、同図はこれをそれぞれの曲率方向の断面で図示している。ここで、図３Ａの上図は、シリンドリカルレンズ１１、１３、１５の曲率方向断面図であり、図３Ａの下図は、シリンドリカルレンズ１２、１４、１６の曲率方向断面図である。
【００２４】
図３Ｂでは、シリンドリカルレンズに直線偏光１８が透過する場合を説明する。同図において、シリンドリカルレンズは軸Ｒの方向に曲率を持ち、直線偏光１８の振動面は軸Ｒに平行であるときを考える。このとき、点Ｍ、Ｍ’、Ｍ’’の各点における直線偏光18はすべてＰ偏光である。また、軸Ｆの方向に曲率を持つ場合はすべてＳ偏光である。つまり、シリンドリカルレンズは曲率方向を一方向しか持たないため、曲率方向が直交する２枚のシリンドリカルレンズのうちの一方の曲率方向を偏光の振動方向に揃えた場合には、他方の曲率方向は、必然的に偏光の振動方向に直交することになり、偏光面の回転が起きない。
【００２５】
したがって、対物レンズの光学素子にシリンドリカルレンズを組み入れることによって、対物レンズを通過する直線偏光の偏光面の回転を抑えることが出来る。つまり、瞳面でのアイソジャイヤを防ぎ、背景光を低減することが可能である。このとき、対物レンズのシリンドリカルレンズは入射される直線偏光の振動面と一致あるいは直交していなければいけない。そこで、対物レンズは入射される偏光面に応じて回転できるように取り付けられておくことが望ましい。また、シリンドリカルレンズは一方向にしか屈折力を持たないので、シリンドリカルレンズは対を成して構成することが望ましい。つまり、本発明の実施には対物レンズに少なくとも２枚のシリンドリカルレンズを利用することが望ましい。もちろん、対物レンズの光学素子のすべてをシリンドリカルレンズで構成することも可能である。
【００２６】
対物レンズ内のレンズの一部にシリンドリカルレンズを利用する場合に、本発明を効果的に実施するためには、その配置についても考慮すべきである。一般に、Ｓ偏光とＰ偏光の透過率の違いが顕著になるのは、偏光面と光学面との入射角が小さい時である。つまり、この状況が起こるのはレンズの屈折力が大きいときが多い。このことから、屈折率の大きいレンズをシリンドリカルレンズに置き換えるときに効果が大きいといえる。一般に対物レンズの標本面に最も近いレンズは屈折力が大きいので、このレンズを２つのシリンドリカルレンズ対に置き換えることが効果的である。
【００２７】
また、本発明の実施による対物レンズを顕微鏡に利用する場合は凹面のシリンドリカルレンズを利用することが好ましい。顕微鏡の対物レンズは諸収差の補正のために凹レンズを使った構成をしている。そしてこの凹レンズの部分での屈折力も一般には大きい。そこで、この凹レンズをシリンドリカルレンズに利用することは効果的となる。
【００２８】
図３Ａ上、図３Ａ下のように最も標本面側のシリンドリカルレンズを凹面とすることが望ましい。これは標本面からくる光線を曲げていくときに収差の発生量を抑えるためである。また、図３Ａ上、図３Ａ下のように両方の断面にて凹面が複数あることが望ましい。これは凹面の負の屈折力により対物レンズの諸収差を補正しやすくするためである。
【実施例２】
【００２９】
図４では、本発明の一実施態様として本発明のシリンドリカルレンズを備えた対物レンズを含んで構成した透過照明式偏光顕微鏡の全体模式図を示している。
以下に、本発明のシリンドリカルレンズを備えた対物レンズを含んで構成した偏光顕微鏡の光学構成と原理を図４に照らしながら述べる。
【００３０】
図４における本発明のシリンドリカルレンズを備えた対物レンズを含んだ透過照明式偏光顕微鏡は、試料を照らす為の光源２１、光源からの照明光を略平行光に変換するコレクタレンズ２２、照明光を反射するミラー２３、光源２１の一次像を作るフィールドレンズ２４、特定の振動面を持つ偏光を通して直線偏光にする偏光子２５、光源の一次像と試料を瞳位置の関係で結ぶコンデンサレンズ２６、試料を置くステージ２７、観察したい試料２８、本発明のシリンドリカルレンズを備えた対物レンズ２９、特定の振動面を持つ偏光を通して直線偏光にする検光子３０、検光子を通過した偏光を集光する結像レンズ３１、結像した画像を記録する撮像素子３２によって構成される。
【００３１】
本実施例の顕微鏡の原理について以下に述べる。偏光子２５を通過した照明光は特定の振動面を持つ直線偏光に変換される。その後、コンデンサレンズ２６を通じて、ステージ２７上の試料２８に照射された照明光は、試料２８の偏光性や複屈折性によって入射した直線偏光の振動方向が変えられる。この透過光が対物レンズ２９に入射される。
【００３２】
このとき、直線偏光と対物レンズ２９内のシリンドリカルレンズの曲率方向は一致あるいは直交するように配置される。こう配置する事によって、試料２８の偏光特性を正確に維持しながら観察光を検光子３０に受け渡すことが出来る。検光子３０と偏光子２５はクロスニコルの関係に配置されているので、撮像素子３２で検出される光は試料２８の偏光特性に因るもののみである。
【００３３】
上記構成において、偏光子２５と対物レンズ２９と検光子３０は角度を揃える必要がある。つまり、この３つのうちの少なくとも２つは回転可能に設置される必要がある。
また、上記構成においては、コンデンサレンズ２６も偏光子２５と検光子３０の間に配置される。つまり、コンデンサレンズ２６においても直線偏光の振動面の回転が起こる。そこで、コンデンサレンズ２６も対物レンズ２９と同様にシリンドリカルレンズで構成してもよい。そのときは、偏光子２５とコンデンサレンズ２６と対物レンズ２９と検光子３０のすべての角度を調節する必要があり、上記４つのうち少なくとも３つを回転可能に設置する必要がある。
【実施例３】
【００３４】
図５では、本発明の一実施態様として本発明のシリンドリカルレンズを含んで構成した落射照明式偏光顕微鏡の全体構成を示している。以下に、本発明のシリンドリカルレンズを含んで構成した落射照明式偏光顕微鏡の光学構成と原理を図５に照らしながら述べる。
【００３５】
図５における本発明のシリンドリカルレンズを備えた対物レンズを含んだ落射照明式偏光顕微鏡は、試料を照らす為の光源４１、光源からの照明光を略平行光に変換するコレクタレンズ４２、光源４１の一次像を作るフィールドレンズ４３、特定の振動面を持つ偏光を通して直線偏光にする偏光子４４、照明光を反射して対物レンズへ導くハーフミラー４５、試料を置くステージ４８、観察したい試料４７、本発明のシリンドリカルレンズを備えた対物レンズ４６、特定の振動面を持つ偏光を通して直線偏光にする検光子４９、検光子を通過した偏光を集光する結像レンズ５０、結像した画像を記録する撮像素子５１によって構成される。
【００３６】
本実施例の顕微鏡の原理について以下に述べる。偏光子４４を通過した照明光は特定の振動面を持つ直線偏光に変換される。その後、対物レンズ４６を通じて、ステージ４８上の試料４７に照射された照明光は、試料４７の偏光性や複屈折性によって入射した直線偏光の振動方向が変えられる。この反射光が対物レンズ４６に再び入射される。
【００３７】
このとき、直線偏光と対物レンズ４６内のシリンドリカルレンズの曲率方向は一致あるいは直交するように配置される。こう配置する事によって、試料４７の偏光特性を正確に維持しながら観察光を検光子４９に受け渡すことが出来る。検光子４９と偏光子４４はクロスニコルの関係に配置されているので、撮像素子５１で検出される光は試料４７の偏光特性に因るもののみである。
【００３８】
上記構成において、偏光子４４と対物レンズ４６と検光子４９は角度を揃える必要がある。つまり、この３つのうちの少なくとも２つは回転可能に設置される必要がある。
【実施例４】
【００３９】
図６では、本発明の一実施態様として本発明のシリンドリカルレンズを含んで構成した落射照明式蛍光偏光顕微鏡の全体構成を示している。以下に、本発明のシリンドリカルレンズを含んで構成した落射式蛍光偏光顕微鏡の光学構成と原理を、図６を参照しながら述べる。
【００４０】
図６における本発明のシリンドリカルレンズを備えた対物レンズを含んだ落射照明式蛍光偏光顕微鏡は、試料内の蛍光体を励起する為の波長の光を発生する光源６１と、励起光を略並行光化するコレクタレンズ６２、光源６１の一次像を作るフィールドレンズ６３、特定の振動面を持つ偏光を通して直線偏光にする偏光子６４、特定のスペクトルの光を選択的に通過させる励起フィルター６５、特定のスペクトルの光を選択的に反射させて励起光と蛍光を分離させるダイクロイックミラー６６、試料を置くステージ６８、観察したい試料６９、本発明のシリンドリカルレンズを備えた対物レンズ６７、特定の励起光スペクトル以外を除去する為のバリアフィルター７０、特定の振動面を持つ偏光を通して直線偏光にする検光子７１、検光子７１を通過した偏光を集光する結像レンズ７２、結像した画像を記録する撮像素子７３によって構成される。
【００４１】
なお、図６において、偏光子６４と励起フィルター６５、検光子７１とバリアフィルター７０の位置関係はそれぞれ可換である。一般的な顕微鏡では、励起フィルター６５とダイクロイックミラー６６とバリアフィルター７０はユニット化されて提供される。しかし、励起フィルター６５とバリアフィルター７０の偏光特性の影響を考えると、偏光子６４は励起フィルター６５より後段であり、検光子７１はバリアフィルター７０よりも前段に配置されることが望ましい。
【００４２】
本実施例の顕微鏡の原理について以下に述べる。偏光子６４を通過した励起光は特定の振動面を持つ直線偏光に変換される。その後、励起光の直線偏光は、励起フィルター６５と対物レンズ６７を介してステージ６８上の試料６９に照射される。このとき、試料内の蛍光体から蛍光が発するのだが、励起光が偏光である場合には蛍光も偏光である現象が知られている。ただし、蛍光体が分子運動等をしていたときには、その速度に応じて偏光度が弱くなる。この現象を使って、蛍光偏光顕微鏡は試料内の物質の移動を観察することが出来る。
【００４３】
このようにして試料内の情報を偏光という形でもった蛍光が対物レンズ４６に再び入射される。このとき、励起光と蛍光は波長が異なるので、ダイクロイックミラー６６によって励起光と分離され、さらにバリアフィルター７０によって必要な波長の蛍光のみが選択される。最終的に検光子７１を通過する光は、試料内の蛍光体の運動によって偏光度が弱められることによって発生した偏光成分のみである。
【００４４】
このとき、直線偏光と対物レンズ６７内のシリンドリカルレンズの曲率方向は一致あるいは直交するように配置される。こう配置する事によって、試料６９から放射される蛍光の偏光特性を正確に維持しながら観察光を検光子４９に受け渡すことが出来る。なお、検光子６４と偏光子７１はクロスニコルの関係に配置されていなければいけない。
【００４５】
以上のように、高い偏光特性を有する対物レンズとそれを備える偏光顕微鏡を記載した。本発明は、特定の実施形態としての参考例を記載してきたが、様々な修正および変化を発明の範囲や概念の域を超えることなく、これらの実施形態に対して施すことができるのは明らかである。したがって、本明細書および図は、限定的な意味では無く、具体例としてみなされるものである。
【図面の簡単な説明】
【００４６】
【図１Ａ】照明光が偏光子を通過した後に球面レンズに入射する時の偏光の様子を示している。
【図１Ｂ】照明光が偏光子を通過した後に球面レンズを通過した時の偏光の様子を示している。
【図１Ｃ】照明光が偏光子を通過した後に球面レンズを通過し、さらにクロスニコルに配置した検光子を通過した時の偏光の様子を示している。
【図２】偏光顕微鏡で生じるアイソジャイヤの模式図である。
【図３Ａ】シリンドリカルレンズを含む対物レンズと結像レンズの図である。
【図３Ｂ】本発明の一つの実施態様として、照明光が偏光子を通過した後にシリンドリカルレンズを通過した時の偏光の様子を示している。
【図４】本発明の一実施態様として、本発明のシリンドリカルレンズを備えた対物レンズを含んで構成した透過照明式偏光顕微鏡の全体構成を示している。
【図５】本発明の一実施態様として、本発明のシリンドリカルレンズを含んで構成した落射照明式偏光顕微鏡の全体構成を示している。
【図６】本発明の一実施態様として、本発明のシリンドリカルレンズを含んで構成した落射照明式蛍光偏光顕微鏡の全体構成を示している。
【符号の説明】
【００４７】
１・・・偏光
２，２５，４４，６４・・・偏光子
３，３０，４９，７１・・・検光子
４・・・同心円
５・・・直線偏光、楕円偏光
６・・・Ｓ偏光成分
７・・・Ｐ偏光成分
１０，１８・・・直線偏光
１１，１２，１３，１４，１５，１７・・・シリンドリカルレンズ
１６，３１，５０，７２・・・結像レンズ
２１，４１，６１・・・光源
２２，４２，６２・・・コレクタレンズ
２３・・・ミラー
２４，４３，６３・・・フィールドレンズ
２６・・・コンデンサレンズ
２７，４８，６８・・・ステージ
２８，４７，６９・・・試料
２９，４６，６７・・・対物レンズ
４５・・・ハーフミラー
５１，７３・・・撮像素子
６５・・・励起フィルター
６６・・・ダイクロックミラー
７０・・・バリアフィルター
【図１Ａ】
2008111916.tif 000003
【図１Ｂ】
2008111916.tif 000004
【図１Ｃ】
2008111916.tif 000005
【図３Ａ】
2008111916.tif 000006
【図３Ｂ】
2008111916.tif 000007
【図５】
2008111916.tif 000008
【図６】
2008111916.tif 000009
【図２】
2008111916.tif 000010
【図４】
2008111916.tif 000011